(57)【要約】【課題】 近傍に存在するバーコードからＩＤ情報を読取った際に、読取ったＩＤ情報と位置情報を関連付けて記憶できるバーコードリーダ一体型の照明装置を提供する。【解決手段】 本装置１の照明部１１が照らしたエリアに存在するバーコードをバーコードリーダ部１２が読取ると、制御部１０は、読取ったＩＤ情報を、場所および日時と対応付けて読取ＩＤ記憶部１３に記憶し、記憶したＩＤと登録ＩＤ記憶部に記憶しているデータを比較し、一致／不一致に応じて表示部１７、ブザー１８による表示内容を制御する。また、キー操作部１６からの特定操作に応じて、制御部１０は、通信制御部１５を介して読取ったＩＤ情報ＩＤ情報管理装置４へ送信する。【選択図】 図１
2013065201.tif 000002
【特許請求の範囲】
【請求項１】
近傍に存在するバーコードからＩＤ情報を読取る照明装置であって、近傍のエリアを照らす照明手段と、前記照明手段が照らしたエリアに存在するバーコードからＩＤ情報を読取るＩＤ情報読取手段と、前記読取ったＩＤ情報を自照明装置が備えるメモリの所定のエリアに記憶するＩＤ情報記憶手段と、自照明装置が存在している場所を検知する場所検知手段と、を有し、
前記ＩＤ情報読取手段が所定のＩＤ情報を読取った場合または予め定められた特定操作が為された場合に、前記ＩＤ情報記憶手段は前記ＩＤ情報読取手段が読取ったＩＤ情報と前記場所検知手段が検知した場所を関連付けて記憶することを特徴とするＩＤ情報読取機能を有する照明装置。
【請求項２】
請求項１に記載の照明装置であって、前記ＩＤ情報読取手段が読取るべきＩＤ情報を自照明装置が備えるメモリの所定のエリアに予め登録するＩＤ情報登録手段をさらに有し、
前記ＩＤ情報読取手段が前記ＩＤ情報登録手段に登録されているＩＤ情報を読取った場合に、前記ＩＤ情報記憶手段は前記ＩＤ情報読取手段が読取ったＩＤ情報と前記場所検知手段が検知した場所を関連付けて記憶すると共に、当該ＩＤ情報を読取った旨を音または光により通知することを特徴とするＩＤ情報読取機能を有する照明装置。
【請求項３】
請求項１または２に記載の照明装置であって、所定のＩＤ情報管理装置と通信するＩＤ情報通信手段をさらに有し、
前記ＩＤ情報読取手段が所定のＩＤ情報を読取る毎にまたは予め定められた特定操作が為された場合もしくは前記ＩＤ情報読取手段が予め定められたＩＤ情報を読取った場合に、前記ＩＤ情報通信手段は前記読取ったＩＤ情報または前記ＩＤ情報記憶手段に記憶されているＩＤ情報を前記ＩＤ情報管理装置へ送信することを特徴とするＩＤ情報読取機能を有する照明装置。
【発明の詳細な説明】
【技術分野】
【０００１】
本発明は、近傍を照らす照明手段と近傍に存在するバーコードからＩＤ（Ｉｄｅｎｔｉｆｉｃａｔｉｏｎ）情報を読取るバーコードリーダとが一体化した照明装置に関する。
【背景技術】
【０００２】
懐中電灯のような近傍を照らす携帯型電灯と近傍に存在するバーコードや無線タグを読取るコードリーダとが一体化した保守点検装置に関する技術がある（例えば特許文献１）。
【０００３】
この技術は、火力発電プラント機器の保守点検等、暗い場所での作業効率を向上するための、携帯型電灯とコードリーダを一体化させた携帯端末に関するものであり、電灯で機器のＩＤ情報を照射する作業とコードリーダでＩＤ情報を読み取る作業を同時に実行するものである。
【０００４】
しかしながら、特許文献１に記載された技術は、ＩＤ情報の読取り結果と、読取った場所の位置情報を関連付けていない。即ち、場所が移動しないプラント機器の保守点検等には適しているものの、ＩＤが付与された物品が移動する物品管理や多地点を巡回する巡回管理等に適用しにくいという制約があった。
【先行技術文献】
【特許文献】
【０００５】
【特許文献１】特開２００４−１３３６７１号公報
【発明の概要】
【発明が解決しようとする課題】
【０００６】
そこで、本発明の課題は、近傍に存在するバーコードからＩＤ情報を読取った際に、読取ったＩＤ情報と位置情報を関連付けて記憶できるバーコードリーダ一体型の照明装置を提供することにある。
【課題を解決するための手段】
【０００７】
上記課題を解決するために、第１の発明は、近傍に存在するバーコードからＩＤ情報を読取る照明装置であって、近傍のエリアを照らす照明手段と、前記照明手段が照らしたエリアに存在するバーコードからＩＤ情報を読取るＩＤ情報読取手段と、前記読取ったＩＤ情報を自照明装置が備えるメモリの所定のエリアに記憶するＩＤ情報記憶手段と、自照明装置が存在している場所を検知する場所検知手段と、を有し、前記ＩＤ情報読取手段が所定のＩＤ情報を読取った場合または予め定められた特定操作が為された場合に、前記ＩＤ情報記憶手段は前記ＩＤ情報読取手段が読取ったＩＤ情報と前記場所検知手段が検知した場所を関連付けて記憶することを特徴とする。
【０００８】
また、第２の発明は、前記第１の発明の照明装置であって、前記ＩＤ情報読取手段が読取るべきＩＤ情報を自照明装置が備えるメモリの所定のエリアに予め登録するＩＤ情報登録手段をさらに有し、前記ＩＤ情報読取手段が前記ＩＤ情報登録手段に登録されているＩＤ情報を読取った場合に、前記ＩＤ情報記憶手段は前記ＩＤ情報読取手段が読取ったＩＤ情報と前記場所検知手段が検知した場所を関連付けて記憶すると共に、当該ＩＤ情報を読取った旨を音または光により通知することを特徴とする。
【０００９】
さらに、第３の発明は、前記第１または第２の発明の照明装置であって、所定のＩＤ情報管理装置と通信するＩＤ情報通信手段をさらに有し、前記ＩＤ情報読取手段が所定のＩＤ情報を読取る毎にまたは予め定められた特定操作が為された場合もしくは前記ＩＤ情報読取手段が予め定められたＩＤ情報を読取った場合に、前記ＩＤ情報通信手段は前記読取ったＩＤ情報または前記ＩＤ情報記憶手段に記憶されているＩＤ情報を前記ＩＤ情報管理装置へ送信することを特徴とする。
【発明の効果】
【００１０】
本発明によれば、読取ったＩＤ情報と読取った場所情報を関連付けて記憶できるので、物品管理システムや巡回管理システムに好適な照明装置を提供することができる。
【図面の簡単な説明】
【００１１】
【図１】本発明による照明装置１の内部ブロック構成を含む全体図
【図２】本発明による登録ＩＤ記憶部１４に記憶されたデータの例
【図３】本発明による読取ＩＤ記憶部１３に記憶されたデータの例
【図４】本発明による照明装置１の動作フローチャート
【発明を実施するための形態】
【００１２】
以下、本発明の実施形態について、物品管理システムを例に図面を用いて説明する。図１は、本発明の全体図であって、１は本発明による照明装置（以下、本装置と略す）、２は管理対象の物品、３は場所を特定するバーコードシール、４は物品をＩＤ情報で管理するＩＤ情報管理装置である。なお、バーコードは１次元バーコードだけでなく、ＱＲコード（登録商標）等の２次元バーコードも含む。
【００１３】
まず、本装置１を含むシステムの全体構成を説明する。物品２は管理対象の物品であって、当該物品を識別する物品コード２１を含むバーコードが印刷されているまたはシールとして貼られている。物品２が例えば出荷待ちの商品であれば、このバーコード２１は梱包箱の所定の位置に印刷されたシールが貼られている。
【００１４】
シール３は物品２が存在する場所の近傍（例えば、物品２が存在する倉庫の入り口や棚）に貼られたバーコードシールであって、場所を特定する場所コード３１がバーコードとして印刷されている。
【００１５】
ＩＤ情報管理装置４は、本装置１からＩＤ情報を授受する物品管理装置（例えば、在庫管理ソフトウェアがインストールされたパソコン）であり、在庫管理室や倉庫事務所等に設置されており、各物品の在庫状況等を管理する。
【００１６】
次に、本装置１の内部ブロック構成について説明する。本装置１は、制御部１０、照明部１１、バーコードリーダ部１２、読取ＩＤ記憶部１３、登録ＩＤ記憶部１４、通信制御部１５、キー操作部１６、表示部１７、ブザー１８から構成される。
【００１７】
制御部１０は、本装置の全体を制御し、例えば、通信制御部１５を介して、ＩＤ情報管理装置４へ読取ったＩＤ情報を読み取り毎にまたは一括して送信する、または、登録ＩＤ記憶部１４に登録すべきＩＤ情報をＩＤ情報管理装置４から受信する。
【００１８】
照明部１１は、光源およびレンズ系により懐中電灯として近傍のエリアを照らすと共に、バーコードリーダ部１２が読取るべきバーコードを照らす照明手段である。
【００１９】
バーコードリーダ部１２は、照明部１１が照らしたエリアに存在する物品コード２１、場所コード３１を含むバーコードからＩＤ情報を読取る手段である。読取ったＩＤ情報は制御部１０を介して読取ＩＤ記憶部１３に記憶される。
【００２０】
読取ＩＤ記憶部１３は、バーコードリーダ部１２が読取った物品コード２１を、場所コード３１および読取った日時と対応付けて記憶する手段である。読取ＩＤ記憶部１３に記憶したＩＤ情報は制御部を介して、表示部１７に表示できる。また、通信制御部１５を介してＩＤ情報管理装置４へ送信できる。なお、物品コード２１と場所コード３１の対応付けについては後述する。
【００２１】
登録ＩＤ記憶部１４は本装置１に予め登録すべきＩＤ情報を記憶する手段である。登録ＩＤ記憶部に記憶されている情報は制御部を介して、表示部１７に表示できる。登録ＩＤ記憶部１４に記憶するＩＤ情報は、通信制御部１５を介してＩＤ情報管理装置４から受信できる。また、登録ＩＤは、キー操作部１６を操作して入力こともできる。さらに、バーコードリーダ部１２によりバーコードそのものから入力することもできる。
【００２２】
読取ＩＤ記憶部１３または登録ＩＤ記憶部１４は、ＳＤカードやＵＳＢメモリ等のリムーバブルな記憶媒体を含む記憶ユニットであってもよい（図示せず）。その場合、調査すべきＩＤ情報が予め登録されている記憶媒体を記憶ユニットに挿入する、または、読取ったＩＤ情報を記憶した記憶媒体を記憶ユニットから取り出すことが容易である。なお、読取ＩＤ記憶部１３または登録ＩＤ記憶部１４を同一の情報記憶手段で共用することも可能である。
【００２３】
通信制御部１５は、ＩＤ情報管理装置４と通信を行う手段であり（例えば、無線ＬＡＮ）、制御部１０からの指示に従いＩＤ情報をＩＤ情報管理装置４と授受する。
【００２４】
キー操作部１６は、照明部１１のＯＮ／ＯＦＦやブザー１８の鳴動停止、ＩＤ情報の表示や通信に係る操作手段である。制御部１０は、キー操作部１６からの操作データに応じて本装置１を制御する。
【００２５】
表示部１７は、制御部１０から転送されるＩＤ情報を操作者が理解できる文字や記号に変換して表示する手段である（例えば、液晶ディスプレイ）。
【００２６】
ブザー１８は、制御部１０からの指示に従い、警報音や通知音を鳴動する手段である。例えば、制御部１０は、バーコードリーダ部１２が登録ＩＤ記憶部１４に記憶されている探索中の物品のＩＤ情報と一致するＩＤ情報を近傍のバーコードから読み取った場合等に所定の鳴動パターンでブザー１８を鳴動させる。
【００２７】
図２は、登録ＩＤ記憶部１４に記憶されている登録ＩＤの例であり、列２０１には物品コード２１に対応する品１〜品４という具体的な物品コードが登録されている。また、列２０２には列２０１に登録された物品コードに対応する場Ａ〜場Ｄという具体的な場所コード３１が登録されている。この例では、品１と品２の物品が場Ａの場所に、品３と品４が場Ｂの場所に存在しているはずであることを示す。
【００２８】
この列２０１および列２０２へのデータの登録は、ＩＤ情報管理装置４からダウンロードしてもよいし、ＩＤ情報管理装置４以外の所定の情報装置（例えば、物品管理者が所持する携帯型パソコン）からダウンロードしてもよい。さらに、バーコードの一覧が印刷された紙資料（図示せず）からバーコードリーダ部１２を介して必要なバーコードを読込んで登録してもよい。この登録ＩＤ記憶部１４による本装置１の動作の詳細は後述する。
【００２９】
図３は、読取ＩＤ記憶部１３に記憶されている読取ＩＤ（バーコードリーダ部１２読取ったＩＤ情報）の例であり、列３０１にはバーコードリーダ部１２が物品２の物品コード２１または場所コード３１に対応するバーコードを読み取った読取日時が記憶されている。また、列３０２には前記読取日時に読取った、場Ａ，品１等のＩＤ情報が記憶されている。
【００３０】
バーコードリーダ部１２が読取ったＩＤ情報が物品コード２１と場所コード３１のいずれであるかが識別可能となるように、コード体系は予め定められている。例えば、データ長を固定とし（例えば２５６バイト）、最初の１バイトを物品コード２１，場所コード３１，その他のコードのいずれであるかを識別する識別バイトと定義すればよい。
【００３１】
そして、場所コード３１を読取った場合は、次の場所コード３１を読取るまで場所を移動していないと定義し、図３の例では場Ａの場所で品１，品２のＩＤ情報を読取ったことを示している。即ち、この場合、品１，品２，品３は場Ａと対応付けられて読取ＩＤ記憶部１３に記憶され、品４は場Ｂと対応付けられて読取ＩＤ記憶部１３に記憶される。
【００３２】
なお、列３０２で、１０：４５に読取ったＩＤ情報である品３にハッチングしているのは、図２で例示した登録ＩＤ記憶部１４に記憶されている品３の場所（場Ｂ）と違っていることを示す。このように登録ＩＤと読取ＩＤに差異があった場合、本装置１はブザー１８で警報音を鳴動すると共に、そのＩＤ情報を表示部１７に表示できる。そして、本装置１を所持する物品管理者は、この登録ＩＤと読取ＩＤの違いに気付いて、物品管理リストを修正するまたは当該物品を本来あるべき場所に戻すことが容易となる。この読取ＩＤ記憶部１３による本装置１の動作の詳細は後述する。
【００３３】
図４は本装置１の動作フローチャートである。以下、図１，図２、図３を併用して、本装置１の動作フローを説明する。本フローは本装置１の電源が投入された状態からスタートする（Ｓ４００）。
【００３４】
本装置１を所持する操作者がキー操作部１６を操作して、照明部１１を点灯すると共にバーコードリーダ部１２を起動すると(Ｓ４０１，ＹＥＳ)、バーコードリーダ部１２は照明部１１が照らしたエリアにバーコードが存在するかサーチする。そして、バーコードリーダ部１２がバーコードを読み取れない場合(Ｓ４１０，ＮＯ)、Ｓ４３０へ進む。以降、Ｓ４３０のＮＯとＳ４３２のＮＯを介してＳ４１０に戻り、バーコードが存在しないまたはバーコードを読み取れない状態では、本装置１は単なる懐中電灯として機能する。
【００３５】
バーコードリーダ部１２がバーコードを読取った場合(Ｓ４１０，ＹＥＳ)、制御部１０は読取ったバーコードが場所コード３１か否かを判定する（Ｓ４１１）。場所コード３１でない場合(Ｓ４１１，ＮＯ)、Ｓ４２０へ進む。場所コード３１であった場合(Ｓ４１１，ＹＥＳ)、読取った場所コード３１を、読取日時と共に読取ＩＤ記憶部１３に記憶し(Ｓ４１２)、Ｓ４２０へ進む。
【００３６】
Ｓ４２０において、制御部１０は読取ったバーコードが物品コード２１か否かを判定する。読取ったバーコードが物品コード２１でなかった場合(Ｓ４２０，ＮＯ)、Ｓ４２２へ進む。読取ったバーコードが物品コード２１であった場合(Ｓ４２０，ＹＥＳ)、読取った物品コード２１を、読取日時と共に読取ＩＤ記憶部１３に記憶し(Ｓ４２１)、Ｓ４２２へ進む。
【００３７】
Ｓ４２２において、制御部１０は読取ＩＤ記憶部１３に記憶したＩＤ情報と、登録ＩＤ記憶部に登録されているＩＤ情報を比較する。ＩＤ情報が一致した場合(Ｓ４２２，ＹＥＳ)、制御部１０は、表示部１７、ブザー１８を制御し、登録されているＩＤ情報と一致するＩＤ情報を読取ったことを表示部１７またはブザー１８により表示し(Ｓ４２３) 、Ｓ４３０へ進む。これにより、登録ＩＤ記憶部１４に登録されているＩＤ情報が探索中の物品の物品コードであれば、前記の表示で探索中の物品であったことが分る。
【００３８】
ＩＤ情報が一致しない場合(Ｓ４２２，ＮＯ)、登録ＩＤと一致しないＩＤを読取った旨を表示部１７またはブザー１８により表示し（Ｓ４２４）、Ｓ４３０へ進む。これにより、登録ＩＤ記憶部１４に登録されているＩＤ情報と異なる内容の物品が当該場所に紛れ込んでいることが分る。
【００３９】
キー操作部１６から特定の操作が為された場合(Ｓ４３０，ＹＥＳ)、為された特定操作に応じて、読取ＩＤ記憶部１３に記憶したＩＤ情報に付加情報を追記する（例えば、登録データと不一致であることを示すフラグ）、または読取ＩＤ記憶部１３に蓄積されているＩＤ情報（読取ＩＤ）をＩＤ情報管理装置４へ送信する（Ｓ４３１）。特定の操作がなかった場合(Ｓ４３０，ＮＯ)、Ｓ４３１をスキップしてＳ４３２へ進む。
【００４０】
Ｓ４３２において、制御部１０はＩＤ送信条件を満足しているか否かを判定し、送信条件を満足していると判定した場合（Ｓ４３２，ＹＥＳ）、読取ったＩＤ情報、または読取ＩＤ記憶部１３に蓄積されているＩＤ情報をＩＤ情報管理装置４へ通信制御部１５を介して送信し(Ｓ４３３)、Ｓ４１０に戻る。送信条件を満足していないと判定した場合（Ｓ４３２，ＮＯ）、Ｓ４３３をスキップしてＳ４１０に戻る。
【００４１】
なお、Ｓ４３２の送信条件は、予め制御部１０に登録されており（図示せず）、例えば、物品調査において、登録ＩＤ記憶部１４に登録されている最後の物品２の物品コード２１を読取った場合や、制御部１０が管理するタイマ(図示せず)により定期的な送信タイミングが到来した場合等である。
【００４２】
以上説明した通り、本発明によれば、読取ったＩＤ情報と読取った場所情報を関連付けて記憶していくので、例えば、暗い倉庫内の物品の棚卸し作業におけるリストデータと実際の物品の照合等が効率的になる。
【００４３】
なお、本発明の実施形態として物品管理システムを例に説明したが、本発明はこれに限定されない。例えば、本装置１を巡回管理システムに応用することも可能である。この場合、本装置１を携帯する巡回管理者（例えば夜間警備員）が巡回先の所定の箇所に貼られているバーコードシール３を順に読取って巡回すれば、巡回状況の管理が容易である。この場合、場所コード３１は巡回先（展示コーナーや倉庫）に対応させ、物品コード２１は巡回先に存在すべき警備対象品（例えば宝石や金庫）に対応させればよい。
【００４４】
また、本装置は懐中電灯とバーコードリーダが一体化したものとして説明したが、ヘッドライトとバーコードリーダが一体化した自動車であってもよい。この場合、広い展示会場や観光地に設置された設備を巡回するシステムに好適である。
【００４５】
さらに、場所コード３１はバーコードリーダが所定の箇所に貼られたシール３のバーコードを読み取るとして説明したが、ＧＰＳ等による位置検索手段を内蔵し（図示せず）、バーコードリーダが所定の物品コードを読み取る毎に、前記位置検索手段が検索した位置情報を読取った物品コードと対応付けて記憶するようにしてもよい。
【符号の説明】
【００４６】
１・・・照明装置
２・・・物品
３・・・シール
４・・・ＩＤ情報管理装置
１０・・・制御部
１１・・・照明部(光源、レンズ)
１２・・・バーコードリーダ部
１３・・・読取ＩＤ記憶部
１４・・・登録ＩＤ記憶部
１５・・・通信制御部
１６・・・キー操作部
１７・・・表示部
１８・・・ブザー 
２１・・・物品コード
３１・・・場所コード
【図１】
2013065201.tif 000003
【図２】
2013065201.tif 000004
【図３】
2013065201.tif 000005
【図４】
2013065201.tif 000006